(57)【要約】【課題】タイマー録画予約されている情報を考慮して記録媒体毎に記録レートを算出して記録媒体に記録する。【解決手段】タイマー録画予約するための情報から録画予約時間の総和を記録媒体毎に算出する。この算出した値と前記記録媒体の記録可能容量とから前記記録媒体毎にタイマー録画するときの記録レートを算出する。この記録レートにより前記記録媒体へタイマー録画予約されている番組を記録する。更に、過去に予約録画履歴も考慮した記録レートで記録する。【選択図】　　　図２
2004007116.tif 000002
【特許請求の範囲】
【請求項１】
ユーザにより設定された、記録先の記録媒体を示す記録先情報を含むタイマー録画予約情報を記憶するメモリと、
前記記録媒体から前記記録媒体に記録可能な容量を得る記録可能容量手段と、
前記メモリから読出した前記タイマー録画予約情報および前記記録可能容量手段から入力された前記記録可能な容量とから前記記録媒体毎に前記タイマー録画するときの記録レートを算出する記録レート算出手段と、
前記記録レート算出手段から入力された前記記録レートにて、前記メモリに記憶されたタイマー録画予約情報に応じてタイマー録画による録画を実行する録画手段とを備えたことを特徴とする記録再生装置。
【請求項２】
ユーザにより設定された、記録先の記録媒体を示す記録先情報を含むタイマー録画予約情報を記憶するメモリと、
前記記録媒体毎に記録可能な容量を記憶する記録可能容量記憶手段と、
前記メモリから読出した前記タイマー録画予約情報および前記記録可能容量記憶手段から読出した前記記録可能な容量とから前記記録媒体毎に前記タイマー録画するときの記録レートを算出する記録レート算出手段と、
前記記録レート算出手段から入力された前記記録レートにて、前記メモリに記憶されたタイマー録画予約情報に応じてタイマー録画による録画を実行する録画手段とを備えたことを特徴とする記録再生装置。
【請求項３】
前記記録先情報で指定された記録媒体に記録されたか否かを含む、過去にタイマー録画した履歴情報を記憶するタイマー録画履歴記憶手段を備え、
前記記録レート算出手段は、前記タイマー録画履歴記憶手段からの前記履歴情報から前記記録先情報で指定されていたにもかかわらず他の記録媒体へ前記タイマー録画された記録媒体へタイマー録画するときには、前記他の記録媒体へ前記タイマー録画された容量も用いて前記タイマー録画するときの記録レートを算出することを特徴とする請求項１または２に記載の記録再生装置。
【請求項４】
前記記録媒体毎にユーザにより予め設定された記録レートの上または下限値を示す制限値を記憶する制限値記憶手段を備え、
前記記録レート算出手段は、前記制限値を逸脱しない範囲で前記記録レートを算出し、もし外れる場合には前記制限値内に変更した値を前記記録レートとして出力することを特徴とする請求項１乃至３のいずれか１項に記載の記録再生装置。
【請求項５】
前記タイマー録画予約情報で指定されている記録媒体が装着されていない場合、所定の記録レートで他の記録媒体へ記録することを特徴とする請求項１乃至４のいずれか１項に記載の記録再生装置。
【請求項６】
ユーザによる前記タイマー録画予約設定時に、前記メモリから読出した前記タイマー録画予約情報および前記記録可能な容量とから前記記録媒体毎に前記タイマー録画するときの記録レートを算出する記録レート算出手段と、
前記記録媒体毎にユーザにより予め設定された記録レートの上または下限値を示す制限値を記憶する制限値記憶手段と、
前記記録レート算出手段により算出された記録レートが前記制限値外になった場合、ユーザにエラーを案内する案内手段を備えたことを特徴とする請求項１または２に記載の記録再生装置。
【請求項７】
ユーザにより設定された、記録先の記録媒体を示す記録先情報を含むタイマー録画予約情報をメモリに記憶する段階と、
記録可能容量手段により前記記録媒体から前記記録媒体に記録可能な容量を得る段階と、
記録レート算出手段により前記メモリから読出した前記タイマー録画予約情報および前記記録可能容量手段から入力された前記記録可能な容量とから前記記録媒体毎に前記タイマー録画するときの記録レートを算出する段階と、
録画手段により前記記録レート算出手段から入力された前記記録レートにて、前記メモリに記憶されたタイマー録画予約情報に応じてタイマー録画による録画を実行する段階とを備えたことを特徴とする記録再生方法。
【請求項８】
ユーザにより設定された、記録先の記録媒体を示す記録先情報を含むタイマー録画予約情報をメモリに記憶する段階と、
記録可能容量記憶手段により前記記録媒体毎に記録可能な容量を記憶する段階と、
記録レート算出手段により前記メモリから読出した前記タイマー録画予約情報および前記記録可能容量記憶手段から読出した前記記録可能な容量とから前記記録媒体毎に前記タイマー録画するときの記録レートを算出する段階と、
録画手段により前記記録レート算出手段から入力された前記記録レートにて、前記メモリに記憶されたタイマー録画予約情報に応じてタイマー録画による録画を実行する段階とを備えたことを特徴とする記録再生方法。
【発明の詳細な説明】
【０００１】
【発明の属する技術分野】
この発明は、予約録画が可能な記録再生装置および方法に関し、特に可変ビットレートで複数の予約録画が可能な記録再生装置および方法に関する。
【０００２】
【従来の技術】
ビデオデータおよび制御情報を記録した記録媒体を再生または記録する記録再生装置には、特定の記録媒体に特定のビデオデータおよび制御情報を記録するよう予約する機能がある。具体的には、録画予約情報を記録媒体に記録する、もしくは、録画予約情報内に記録媒体を特定する情報もあわせて予約する方法が行われている。
【０００３】
このような技術については例えば特開平４−１０５２３９号公報に開示されている。この文献では予め記録媒体に録画予約情報を記録しておく。そして記録媒体が記録装置に挿入されたとき、記録装置が記録媒体から予約情報を読み取り、この読み取った予約情報に基づき予約録画を設定する。
【０００４】
しかし、従来の記録装置では、ユーザが指定した予約内容に応じて特定の記録媒体に記録することは可能であるが、記録媒体の記録可能容量によって、予約した内容をすべて記録できない可能性がある。
【０００５】
さらに、複数の入力ソースを一つの記録媒体に記録するよう予約したい場合、ユーザが手動でそれぞれの録画予約を考慮した記録レートを設定する必要があり、操作が煩雑である。
【０００６】
【発明が解決しようとする課題】
このように従来の記録再生装置および方法においては、ユーザが指定した予約内容に応じて特定の記録媒体に記録することは可能であるが、記録媒体の記録可能容量によって、予約した内容をすべて記録できない可能性があるという問題があった。また、複数の入力ソースをひとつの記録媒体に記録するよう予約したい場合、ユーザが手動でそれぞれの録画予約を考慮した記録レートを設定する必要があり、操作が煩雑であるという問題があった。
【０００７】
【課題を解決するための手段】
上記の目的を達成するために、この発明においては、ユーザにより設定された、記録先の記録媒体を示す記録先情報を含むタイマー録画予約情報を記憶するメモリと、前記記録媒体から前記記録媒体に記録可能な容量を得る記録可能容量手段と、前記メモリから読出した前記タイマー録画予約情報および前記記録可能容量手段から入力された前記記録可能な容量とから前記記録媒体毎に前記タイマー録画するときの記録レートを算出する記録レート算出手段と、前記記録レート算出手段から入力された前記記録レートにて、前記メモリに記憶されたタイマー録画予約情報に応じてタイマー録画による録画を実行する録画手段とを備えたことを特徴とする記録再生装置を提供する。
【０００８】
また、上記の目的を達成するために、この発明においては、ユーザにより設定された、記録先の記録媒体を示す記録先情報を含むタイマー録画予約情報を記憶するメモリと、前記記録媒体毎に記録可能な容量を記憶する記録可能容量記憶手段と、前記メモリから読出した前記タイマー録画予約情報および前記記録可能容量記憶手段から読出した前記記録可能な容量とから前記記録媒体毎に前記タイマー録画するときの記録レートを算出する記録レート算出手段と、前記記録レート算出手段から入力された前記記録レートにて、前記メモリに記憶されたタイマー録画予約情報に応じてタイマー録画による録画を実行する録画手段とを備えたことを特徴とする記録再生装置を提供する。
【０００９】
また、上記の目的を達成するために、この発明においては、ユーザにより設定された、記録先の記録媒体を示す記録先情報を含むタイマー録画予約情報をメモリに記憶する段階と、記録可能容量手段により前記記録媒体から前記記録媒体に記録可能な容量を得る段階と、記録レート算出手段により前記メモリから読出した前記タイマー録画予約情報および前記記録可能容量手段から入力された前記記録可能な容量とから前記記録媒体毎に前記タイマー録画するときの記録レートを算出する段階と、録画手段により前記記録レート算出手段から入力された前記記録レートにて、前記メモリに記憶されたタイマー録画予約情報に応じてタイマー録画による録画を実行する段階とを備えたことを特徴とする記録再生方法を提供する。
【００１０】
また、上記の目的を達成するために、この発明においては、ユーザにより設定された、記録先の記録媒体を示す記録先情報を含むタイマー録画予約情報をメモリに記憶する段階と、記録可能容量記憶手段により前記記録媒体毎に記録可能な容量を記憶する段階と、記録レート算出手段により前記メモリから読出した前記タイマー録画予約情報および前記記録可能容量記憶手段から読出した前記記録可能な容量とから前記記録媒体毎に前記タイマー録画するときの記録レートを算出する段階と、録画手段により前記記録レート算出手段から入力された前記記録レートにて、前記メモリに記憶されたタイマー録画予約情報に応じてタイマー録画による録画を実行する段階とを備えたことを特徴とする記録再生方法を提供する。
【００１１】
【発明の実施の形態】
（第１の実施の形態）
以下、本発明の記録再生装置および方法に係る第１の実施の形態について図１乃至図５を用いて詳細に説明する。
図１は、本発明の実施の形態に係る記録再生装置の構成を示す図である。
図１において、記録再生装置は次のように構成されている。
１０１は、外部からの信号が入力される入力端である。１０２は、テレビジョン信号を受信し、この受信した信号エンコーダ１０３へ出力するＴＶチューナである。１０３は、入力端１０１またはＴＶチューナ１０２から入力された信号をエンコードするエンコーダである。
【００１２】
１０４は、エンコーダ１０３によりエンコードされた信号をＤＶＤ−ＲＡＭ／ＤＶＤ−Ｒ／ＨＤＤ等のディスク１１２に対して、記録・再生するディスクドライブ部である。このディスクドライブ部１０４は、図１に示すように一時記録部１０４１とディスクドライブ１０４２から構成されている。一時記録部１０４１は、ディスクドライブ１０４２を介してディスク１１２に書き込むデータの一定量分をバッファリングや、ディスクドライブ１０４２から再生されたデータの一定量分をバッファリングに用いられる。具体的には、記録途中でディスクを使い切ってしまった場合において、ディスク１１２が新しいディスクに交換されるまでの記録情報を一時記憶しておくことに利用できる。
【００１３】
１０６は、ディスクドライブ部１０４により再生された信号をデコードするデコーダである。１０７は、デコーダ１０６によりデコードされた信号を外部の映像機器へ出力する出力端である。
【００１４】
１０５は、記録再生装置全体の動作を制御するマイクロコンピュータである。このマイクロコンピュータ１０５は、マイクロコンピュータ１０５内部のＲＯＭ等により記憶されている制御プログラムに従い動作し、ディスク１１２に対する記録制御、再生制御、ユーザ操作入力部１１０の入力に応じた記録再生装置の動作の変更、表示部１０８を用いたユーザへの案内画面の表示などを制御する。
【００１５】
１０９は、録画予約の動作を制御するタイマーマイコン部である。このタイマーマイコン部１０９は、時計を備えており、ユーザが設定した録画予約に基づき録画予約管理テーブルを管理し、録画予約開始時刻に達したら、マイクロコンピュータ１０５に記録開始を指示し、録画予約終了時刻に達したら、マイクロコンピュータ１０５に記録終了を指示する。
【００１６】
１１０は、ユーザに案内するための表示部１０８と、ユーザからの操作要求を入力するユーザ操作入力部である。
１１１は、録画予約管理テーブルをメモリするメモリである。このメモリ１１１は、図３に示す録画予約管理テーブルや図４に示す記録媒体管理テーブル、図５に示す予約履歴管理テーブルを記憶する。
【００１７】
この図３に示す録画予約管理テーブルとは、録画開始時間、録画終了時間、録画ソース、記録レート、記録メディアを含む。また図４に示す記録媒体管理テーブルとは、制御対象メディアを特定するメディアＩＤ、制御対象メディア毎の記録済み容量、制御対象メディア毎の記録可能容量を含む。また、図５に示す予約履歴管理テーブルとは、録画予約管理テーブルと、録画予約した情報の記録結果を含む。
【００１８】
表示部１０８は、記録再生装置の状態をユーザに案内する映像を表示するものであり、具体的には本体に設けられた液晶パネルである。或いは表示部１０８は、出力端１０７から出力されるデータとユーザが入力した情報とを多重して外部装置、例えば、ＴＶなどに出力するものであっても良い。
【００１９】
ユーザ操作入力部１１０は、ユーザからの操作要求、例えば、記録再生装置の動作の変更や録画予約の受け付けなど処理し、例えば、リモコンとリモコンからのデータの受信部で構成される。
【００２０】
次に、記録再生装置が予約録画を開始するときの動作について詳細に説明する。
予約録画とは、ユーザが設定した開始日時から、ユーザが指定した録画ソースの情報をディスク１１２に記録を開始し、ユーザが設定した終了日時に記録を終了する動作である。
【００２１】
まず、予約録画開始時のマイクロコンピュータ１０５の制御について図２を用いて説明する。
ここでは具体例として、記録再生装置は図３に示す７件の録画予約が既に録画予約管理テーブルに登録され、図４に示す５種類の記録媒体に対する記録媒体管理テーブルを管理している状態で、図３の予約番号１の予約録画開始時刻である１月１日０：００に達した場合について説明する。また、記録媒体を指定して複数の録画予約を登録する場合、記録レートのうち、画質を自動の「Ａｕｔｏ」（ユーザ指定なし）と設定することで、複数の録画予約情報から最適な記録レートを算出するものとする。
【００２２】
マイクロコンピュータ１０５はタイマーマイコン部１０９より、録画予約情報とともに、予約録画開始時刻に達したことを知らせる通知を受ける（ステップ２０１）。
【００２３】
ステップ２０１で通知を受けたマイクロコンピュータ１０５は、録画予約管理テーブルから記録先を取得し、記録媒体指定の有無を判断する（ステップ２０２）。具体的には、記録レートのうち画質がＡｕｔｏで、かつ、録画予約管理テーブル内で指定された記録先のメディアＩＤとメモリ１１１で管理している記録媒体管理テーブルのメディアＩＤとを比較し、メモリ１１１に該当するメディアＩＤがあれば記録媒体指定ありと判断する。
【００２４】
例えば、上記した例では図３の予約番号１の予約録画開始時刻である１月１日０：００に達すると、記録レートの画質がＡｕｔｏであり、かつ、記録先のメディアは「ＤＶＤ−ＲＡＭ１」のメディアＩＤを有する記録媒体で、これは図４に示す記録媒体管理テーブルに登録されているため、“記録媒体指定あり”と判断する。また、別の例として、図３の予約番号７の予約録画開始時刻である１月２日の１９：００に達すると、予約番号７の記録先は何も指定されていないことを示す「−−−」であり、また、図４に示す記録媒体管理テーブルには登録されていないため、“記録媒体指定なし”と判断する。
【００２５】
ステップ２０２で“記録媒体指定なし”と判断された場合、録画予約管理テーブルに設定されている記録レートの画質および音質による記録レートでエンコーダ部１０３およびディスクドライブ部１０４に記録開始を要求し、記録再生装置に挿入されているディスク１１２へ記録を開始する（ステップ２１３）。また、ステップ２０２で“記録媒体指定あり”と判断された場合、予約録画開始時刻に達した記録媒体に対する全ての録画予約を録画予約管理テーブルから検索する（ステップ２０３）。
【００２６】
図３および図４に示した例では、メディアＩＤ「ＤＶＤ−ＲＡＭ１」の予約録画情報は予約録画開始時刻に達した予約番号１のほか、予約番号２、予約番号５がある。これら３種類の録画予約を基に、総記録予定時間を算出する（ステップ２０４）。この総記録予定時間の算出方法としては、メディアＩＤ「ＤＶＤ−ＲＡＭ１」を記録媒体とした全予約録画について、記録終了時刻と記録開始時刻との絶対値の時間差の総和をとることにより得ることが出来る。この図３に示した例では予約番号１、予約番号２、予約番号５についての総和をとることにより、総記録予定時間２時間３０分を得ることができる。
【００２７】
さらに、録画予約情報の時刻が重複している場合を考慮し、総記録時間から重複時間を除いてもよい。重複時間の減算には、先の予約録画情報から、次の予約録画情報へ移行する際に発生する記録終了から記録開始までの記録準備時間を含めても良い。
【００２８】
さらに、他の記録媒体への録画予約情報との重複により、記録されない可能性のある時間も減算してもよい。
ステップ２０４の次に、過去に該当記録媒体に記録する予定であった録画予約であるが、他の記録媒体に記録されてしまった場合があるか否かを判断する（ステップ２０５）。具体的にはステップ２０５では、図５に示す予約履歴管理テーブルの予約時の記録先が該記録媒体であったにもかかわらず、他の記録媒体に記録されたデータがあるか否かを判定する。
【００２９】
ステップ２０５にて、他の記録媒体へ記録がある場合、ステップ２０４で算出した総記録予定時間と他の記録媒体へ記録した総記録時間とを加算する（ステップ２０６）。
【００３０】
この例では、図５に示す履歴番号４のデータが、予約録画開始時刻に達した予約番号１の記録先である「ＤＶＤ−ＲＡＭ１」に記録しようとしていたにもかかわらず、他の記録媒体に記録されてしまっている。そこでステップ２０４で算出した総記録予定時間である２時間１５分に、「ＤＶＤ−ＲＡＭ１」ではなく他の記録媒体に記録してしまった記録時間である１５分を加算し、総記録予定時間を２時間３０分とする。
【００３１】
本実施の形態では、過去に「ＤＶＤ−ＲＡＭ１」に記録しようとしていたが、記録媒体が見付からなかった等の理由により、一時的に他の記録媒体に記録されてしまった番組の時間分についても考慮され記録レートが決定されるので、後で「ＤＶＤ−ＲＡＭ１」に全体を通して適当なレートにて記録することが出来る。ここで考慮されていない場合には、後で他の記録媒体に記録されてしまった番組を「ＤＶＤ−ＲＡＭ１」に移動させようとしても、極端に空き容量が小さかったり、極端には空き容量が全く無くなってしまい記録することができなくなってしまうということが発生するが、本発明ではこのようなことが発生しない。
【００３２】
ステップ２０５で他記録媒体へ記録がない場合およびステップ２０６の次に、記録媒体の記録可能容量を図４に示す記録媒体管理テーブルから取得する（ステップ２０７）。マイクロコンピュータ１０５は、記録媒体管理テーブルの記録済み容量および記録可能容量は、それぞれ容量に変化があった場合に随時更新する。具体的な更新タイミングは、記録媒体の挿入時、記録終了時、記録データの削除時等である。また、必ずしも記録媒体管理テーブルで管理されている値を使わなくても、実際に記録媒体にアクセスして残量を取得しても良い。
【００３３】
ステップ２０７の次に、上記算出した総記録予定時間およびステップ２０７により得た記録媒体の記録可能容量から、記録媒体に記録するときの記録レートを算出する（ステップ２０８）。
【００３４】
ステップ２０８の次に、ステップ２０８で算出した記録レートが、図４に示す記録媒体管理テーブルで記録媒体毎に管理している最低記録レートよりも低いか否かを判断する（ステップ２０９）。
【００３５】
ステップ２０８で算出した記録レートが図４に示す記録媒体管理テーブルで管理している最低記録レートを下回っていた場合には、算出レートを最低記録レートに置き換える（ステップ２１０）。図４に示す記録媒体管理テーブルでは最低記録レートを管理している。最低記録レートは、録画予約の登録操作の一部として、ユーザが設定可能な情報であり、予め設定されている。記録可能容量４．７０Ｇｂｙｔｅに対して、３．６Ｍｂｐｓで２．５時間記録可能とすると、図３に示す例では「ＤＶＤ−ＲＡＭ１」への総記録予定時間は２．５時間であり、設定されている最低記録レート３．６Ｍｂｐｓを満足できることから、「ＤＶＤ−ＲＡＭ１」へは画質３．６Ｍｂｐｓを平均記録レートとして記録する。
【００３６】
ここで、「ＤＶＤ−ＲＡＭ１」の記録可能容量が４．７Ｇｂｙｔｅ未満であったり、総記録予定時間が２．５時間より長ければ、算出される記録レートは３．６Ｍｂｐｓを下回るため、総記録予定時間と記録可能容量から算出される記録レートではなく、最低記録レート３．６Ｍｂｐｓを平均レートとして記録する。なお、記録レートの制限は、最低記録レートだけではなく最高記録レートを制限するようにしてもよい。
【００３７】
次に、マイクロコンピュータ１０５は、ステップ２０９またはステップ２１０で算出された記録レートで記録をする前に、録画予約管理テーブルで指定された記録先メディアＩＤの記録媒体が書き込み可能な状態で記録再生装置に装着されているか否かを判断する（ステップ２１１）。
【００３８】
ステップ２１１にて、指定された記録媒体が記録再生装置に装着されていた場合、算出した記録レートで指定された記録媒体に記録を行う（ステップ２１２）。
ステップ２１１にて、指定された記録媒体が記録再生装置に装着されていなかった場合、他の記録媒体に記録可能か判断する（ステップ２０１４）。他の記録媒体とは、一時記録部１０４１でよいし、例えばネットワークで接続された他の機器の記録媒体が使用可能であればこれであっても良い。
【００３９】
ステップ２１４にて、記録可能な他の記録媒体が存在していなかった場合、記録開始失敗の警告を案内する信号を表示部１０８へ出力する（ステップ２２１）。更に、図５に示す予約履歴管理テーブルに、予約録画が失敗したことを結果の欄に「失敗」と登録する（ステップ２２２）。
【００４０】
ステップ２１４にて、記録可能な他の記録媒体が存在していた場合、この記録媒体を指定した録画予約が入っているか否かを判断する（ステップ２１５）。この判断については図３に示す録画予約管理テーブルから、記録しようとしている記録媒体が指定された予約が存在しているかを検索することで判断することが出来、この検索した結果、記録しようとしている記録媒体が指定された予約が一つでも見付かれば上述したステップ２２１の処理へ移る。
【００４１】
ステップ２１５にて、記録しようとしている記録媒体が指定された予約が一つもなかったときには、算出した記録レートと記録時間から、記録に必要な容量を算出する（ステップ２１６）。
【００４２】
具体的な例では、図３に示す録画予約管理テーブル上の予約番号１の予約開始時に、記録先メディアＩＤ「ＤＶＤ−ＲＡＭ３」の記録媒体が記録再生装置へ装着されていた場合、記録先メディアＩＤ「ＤＶＤ−ＲＡＭ３」指定の予約（予約番号３）が存在しているためステップ２１５からステップ２２１へと処理が移り警告表示がされる。また、装着されていた記録媒体が記録先メディアＩＤ「ＤＶＤ−ＲＡＭ４」であれば、記録先メディアＩＤ「ＤＶＤ−ＲＡＭ４」指定の録画予約が存在していないのでステップ２１５からステップ２１６へ進む。
【００４３】
ステップ２１６の次に、記録しようとしている記録媒体の空き容量の方が、ステップ２１６により算出された記録に必要な容量よりも大きいか否かを判定する（ステップ２１７）。
【００４４】
ステップ２１７にて、記録しようとしている記録媒体の空き容量の方が、ステップ２１６により算出された記録に必要な容量よりも大きいと判断されなかった場合、先のステップ２２１へ処理が移る。
【００４５】
ステップ２１７にて、記録しようとしている記録媒体の空き容量の方が、ステップ２１６により算出された記録に必要な容量よりも大きいと判断された場合、録画予約で指定されていた記録媒体ではない、他の記録媒体へ記録することを警告（案内）するの信号を表示部１０８へ出力し（ステップ２１８）、続いて算出した記録レートで指定外の記録媒体に記録を開始する（ステップ２１９）。更に、記録終了予定時刻まで正常に記録できた場合、記録終了時点で、図５に示す予約履歴管理テーブルの結果の欄に、予約録画が他の記録媒体へ記録されたことを示す「他記録媒体」と登録する（ステップ２２０）。なお、この登録は必ずしも記録終了予定時刻まで正常に記録できた場合に限らず、記録しはじめた時点で登録しても良い。
【００４６】
なお、映像の記録や記録レートの算出、録画予約については、公知の技術を用いることにより実現可能である。
以上説明したように第１の実施の形態によれば、記録媒体管理テーブルを有し、予約登録時に記録媒体管理テーブルに登録されている記録媒体を指定するだけの操作で、指定された記録媒体に予約されているすべての予約録画情報を考慮した記録レートで記録することができる。更に、過去の予約録画履歴も考慮した記録レートで記録することができる。
【００４７】
（第２の実施の形態）
以下、本発明の記録再生装置および方法に係る第２の実施の形態について図６および図７を用いて詳細に説明する。
本発明の第２の実施例に係る記録再生装置の構成は、第１の実施の形態の図１と同じ構成である。
第２の実施例と第１の実施例の異なる点は、マイクロコンピュータ１０５の録画予約設定処理である。その他は第１の実施の形態と同様であるためこの異なる点についてのみ説明をし、他は省略する。
【００４８】
録画予約の登録時のマイクロコンピュータ１０５の制御を図６を用いて説明する。
以下、録画予約管理テーブルは図３に示す７件の録画予約情報が既に登録されている状態で、メディアＩＤ「ＤＶＤ−ＲＡＭ１」に対して１月３日１９：００〜１９：５０の新規の録画予約情報を、記録レートのユーザ指定なしであるＡｕｔｏで新たに登録する場合を例に説明する。
【００４９】
マイクロコンピュータ１０５は、ユーザ操作入力部１１０からタイマーマイコン部１０９を経由して、新規の録画予約の登録要求通知を受ける（ステップ６０１）。ここで、新規の録画予約は、必須項目はすべて設定済みで、開始時刻より終了時刻が早いなどの録画予約情報の不整合や録画予約数の超過等がない正常な予約情報とする。
【００５０】
ステップ６０１で通知を受けたマイクロコンピュータ１０５は、録画予約管理データから記録先のメディアＩＤを取得し、記録媒体指定の有無を判断する（ステップ６０２）。この記録媒体指定の判断は、図２のステップ２０２と同じである。
【００５１】
ステップ６０２にて、記録媒体を指定してない予約録画の場合、新規の録画予約として受け付ける。
ステップ６０２にて、記録媒体指定ありと判断された場合、新規登録する録画予約の記録先の記録媒体に対する録画予約全て録画予約管理テーブルから検索する（ステップ６０３）。図３の例では、メディアＩＤ「ＤＶＤ−ＲＡＭ１」の録画予約情報は予約番号１、予約番号２、予約番号５がある。
【００５２】
ステップ６０３にて、検索した録画予約情報と、新規登録する録画予約情報を合わせた総記録予定時間を、先の図２のステップ２０４およびステップ２０６で説明した手順で算出する（ステップ６０４）。
【００５３】
ステップ６０４の次に、新規登録で指定した記録媒体の記録可能容量を、図４に示す記録媒体管理テーブルから取得する（ステップ６０５）。
次に、ステップ６０４で得た総記録予定時間と、ステップ６０５で得た記録媒体の記録可能容量から記録レートを算出する（ステップ６０６）。
次に、ステップ６０６で算出した記録レートと、図４に示す記録媒体管理テーブルに設定されている最低記録レートとを比較する（ステップ６０７）。
ステップ６０７での比較の結果、算出した記録レートの方が最低記録レート以上の場合、警告なしに録画予約管理テーブルに受け付けられ、録画予約情報の新規登録は終了する。
【００５４】
ステップ６０７での比較の結果、算出した記録レートの方が最低記録レートを下回る場合、例えば図７に示すようにＴＶ（モニター）の録画予約情報登録画面上に警告を出す（ステップ６０８）。このような警告を出すことで、現在の録画予約の設定では、全てを記録できないことをユーザに案内し、録画予約の削除、録画予約の記録先の変更、記録媒体の記録済み情報の整理等の操作をユーザに促す。この図７に示す警告画面上の「いいえ」をユーザがリモコン等で選択することにより、登録しようとした録画予約の記録先が変更できるよう、録画予約の編集操作可能状態に遷移してもよいし、登録しようとした録画予約を削除してもよい。また、警告画面上の「はい」を選択することで、録画予約を設定可能とする。この場合、ユーザが新規登録した録画予約以外の録画予約情報を削除したり、該当記録媒体の記録済み情報を整理することで新規登録した録画予約を記録することが可能となる。
【００５５】
なお、以上説明した録画予約登録処理は、メモリ１１１を参照できるタイマーマイコン部１０９で処理が行われても良い。
以上説明したように本発明の第２の実施の形態によれば、記録媒体管理テーブルを有し、予約登録時に記録媒体管理テーブルに登録されている記録媒体の記録可能容量と登録済み録画予約情報から記録可否を判断することで、指定された記録媒体に記録可能な予約録画を登録可能となる。
【００５６】
なお、この発明は上記実施例に限定されるものではなく、発明の要旨を変えない範囲において種々変形実施可能なことは勿論である。
【００５７】
【発明の効果】
以上説明したようにこの発明によれば、タイマー録画予約されている情報を考慮して記録媒体毎に記録レートを算出して記録媒体に記録しているので、指定された記録媒体に予約されているすべての予約録画情報を考慮した記録レートで記録することができる。
【図面の簡単な説明】
【図１】本発明の記録再生装置の構成を説明するためのブロック図。
【図２】記録開始時の記録レート算出方法を説明するためのフローチャート。
【図３】録画予約情報管理テーブルの一例を示す図。
【図４】記録媒体管理テーブルの一例を示す図。
【図５】予約履歴管理テーブルの一例を示す図。
【図６】録画予約登録時の記録可否判断方法のフローチャート。
【図７】録画予約登録時に、記録できないと判断された場合の警告画面の一例を示す図。
【符号の説明】
１０１…入力端、１０２…ＴＶチューナ、１０３…エンコーダ、１０４…ディスクドライブ部、１０５…マイクロコンピュータ、１０６…デコーダ、１０７…出力端、１０８…表示部、１０９…タイマーマイコン部、１１０…ユーザ操作入力部、１１１…メモリ、１１２…ディスク、１０４１…一時記録部、１０４２…ディスクドライブ。
【図１】
2004007116.tif 000003
【図２】
2004007116.tif 000004
【図３】
2004007116.tif 000005
【図４】
2004007116.tif 000006
【図５】
2004007116.tif 000007
【図６】
2004007116.tif 000008
【図７】
2004007116.tif 000009